(57)【要約】【課題】指導者が学習者にカットする場所を的確に伝えることができ、カット後のヘアスタイルを違和感なく観察することができるマネキン頭部およびその製造方法を提供する。【解決手段】マネキン頭部１０は、ヘアスタイルに合わせてセクションごとのカット法を習得するために用いられる。これらのセクションａからセクションｊは、溝１１により区分けされており、隣接する他のセクションと異なる色により色分けされている。セクションの色分けとして、非着色を含ませることもできるので、赤色や、青色、緑色だけでなく、地肌色も加えることができる。【選択図】図１
2015087542.tif 000002
【特許請求の範囲】
【請求項１】
ヘアスタイルに合わせてセクションごとのカット法を習得するために用いられるマネキン頭部において、
前記セクションは、隣接する他のセクションと異なる色により色分けされていることを特徴とするマネキン頭部。
【請求項２】
前記セクションの色分けとして、非着色を含む請求項１に記載のマネキン頭部。
【請求項３】
前記セクションは、溝により区分けされている請求項１または２記載のマネキン頭部。
【請求項４】
ヘアスタイルに合わせてセクションごとのカット法を習得するために用いられるマネキン頭部の製造方法において、
カット法を説明するためのセクションの輪郭形状に対応する開口部を有するテンプレートを、該当のセクション位置に当て、前記開口部の範囲を着色して、隣接する他のセクションと異なる色により色分けしたことを特徴とするマネキン頭部の製造方法。
【発明の詳細な説明】
【技術分野】
【０００１】
本発明は、ヘアスタイルのカット法を習得するために用いられるマネキン頭部およびその製造方法に関するものである。
【背景技術】
【０００２】
美容院または美容学校で学習する学習者は、指導者が指定したカット対象となる場所の頭髪を、指定されたカット法により、カットを実習して、このカット法を習得する。しかし、指導者が、カット対象となる場所の頭髪を指定するときに、頭髪には目印がないため、説明が抽象的になりやすく、明確な位置を指定しにくい。
このような問題に対し、特許文献１〜５に記載されたものが開発されている。
【０００３】
特許文献１には、中心線、側面中心線、毛髪部中心線、水平区割線等を標示して、頭の形等に応じて刈込等の説明に用いる理容技術教習具が記載されている。
【０００４】
特許文献２には、頭髪のない人頭に髪をカットする区分を分けるライン及び点を描いた教材を採用し、この教材に基づいて各髪型の基本的なカット方法を習得する髪カット用教材が記載されている。
【０００５】
特許文献３には、頭皮に印刷された着色線に着色コード化された毛髪にそってカットする美容術教授用のマネキンが記載されている。
【０００６】
特許文献４には、黒髪等の基本毛髪と、金髪等の変色毛髪とから構成され、変色毛髪は、基本毛髪とは異なる色からなり、変色毛髪を、縦方向や横方向のライン状の毛髪地肌や、頭頂部の頂部分の毛髪地肌に、部分的に偏在して設けたレッスン用ウイッグが記載されている。
【０００７】
特許文献５には、頭髪全体を、トップゾーン、ミドルゾーン、ローゾーンに三分割し、ミドルゾーンをトップゾーン及びローゾーンとは異なる色にしたスリーセクション用カットウイッグが記載されている。
【先行技術文献】
【特許文献】
【０００８】
【特許文献１】実公昭３４−９６２５号公報
【特許文献２】特開２００３−３０２８９５号公報
【特許文献３】特開平１−１３４４８９号公報
【特許文献４】特開２００３−１６４３３０号公報
【特許文献５】特開２０１０−２２７７８号公報
【発明の概要】
【発明が解決しようとする課題】
【０００９】
特許文献１，２では、カットする区分を分けるラインや点をマネキン頭部に標示しているが、ウイッグが、マネキン頭部に被さったり、植栽されたりするため、学習者は、頭髪をかき分けてラインや点が現れなければ、他の場所をかき分けてラインや点を探す必要がある。また、見つけたラインや点がどの区分を分けるものか、周囲をかき分けて、現れた他のラインや点との相対位置により判断しなければならないことも想定される。
【００１０】
また、特許文献３〜４では、頭髪が着色されているため、例えば、黒髪一色だけの場合と比較して、カットが終わったヘアスタイルが実際の仕上がりと異なって見え、異なる印象を受けるため、カットが上手にできたか否かが評価しにくい面がある。
【００１１】
そこで本発明は、指導者が学習者にカットする場所を的確に伝えることができ、カット後のヘアスタイルを違和感なく観察することができるマネキン頭部およびその製造方法を提供することを目的とする。
【課題を解決するための手段】
【００１２】
本発明は、ヘアスタイルに合わせてセクションごとのカット法を習得するために用いられるマネキン頭部において、前記セクションは、隣接する他のセクションと異なる色により色分けされていることを特徴とするものである。
【００１３】
本発明のマネキン頭部によれば、セクションを隣接する他のセクションと異なる色により色分けしているため、頭髪をかき上げれば、頭部表面の色分けされたセクションが見えるため、指導者はセクションの指示がしやすく、的確にセクションの位置を伝えることができる。また、学習者は、指定されたセクションがどこのセクションか容易に認識することができる。また、マネキン頭部が色分けされているため、頭髪は全体一色のものが使用できるので、染色されているような、特別な頭髪を用意しなくてもよい。
【００１４】
前記セクションの色分けとして、非着色を含むことにより、着色の手間が省略できるので、製造時間の短縮、着色材の使用量の低減を図ることができる。
【００１５】
前記セクションが、溝により区分けされていることで、マネキン頭部を成形するときに、区分けするための溝を同時に形成することができる。また、着色するときの着色材が垂れたり滲んだりしても、溝でくい止めることができるので、隣接するセクションに着色材が浸入することを抑止することができる。
【００１６】
本発明のマネキン頭部は、本発明のマネキン頭部の製造方法により製造することができる。本発明のマネキン頭部の製造方法は、カット法を説明するためのセクションの輪郭形状に対応する開口部を有するテンプレートを、該当のセクション位置に当て、前記開口部の範囲を着色して、隣接する他のセクションと異なる色により色分けしたことを特徴とする。
【００１７】
本発明のマネキン頭部の製造方法によれば、セクションの輪郭形状の開口部を有するテンプレートにより、それぞれのセクションを色分けすることで、正確に、素早く色分けすることができる。
【発明の効果】
【００１８】
本発明のマネキン頭部によれば、セクションを隣接する他のセクションと異なる色により色分けしているため、指導者が学習者にカットする場所を的確に伝えることができ、全体一色の頭髪が使用できるため、カット後のヘアスタイルを違和感なく観察することができる。
【図面の簡単な説明】
【００１９】
【図１】本発明の実施の形態に係るマネキン頭部を示す図であり、（ａ）は右側面図、（ｂ）は正面図、（ｃ）は左側面図である。
【図２】図１に示すマネキン頭部に着色する際に使用されるテンプレートの一例を示す図である。
【図３】（Ａ）から（ｈ）は、図１に示すマネキン頭部を用いてロングボブのカット法を学習する手順を説明するための図である。
【発明を実施するための形態】
【００２０】
本発明の実施の形態に係るマネキン頭部について、図面に基づいて説明する。マネキン頭部は、美容院または美容学校で、ヘアスタイルに合わせてセクションごとのカット法を習得するために用いられるものである。
図１に示すマネキン頭部１０は、樹脂により形成された成形品である。マネキン頭部１０は、所定の輪郭形状に形成されたセクションａからセクションｊの頭部表面が、着色されていたり、地肌色であったりして、隣接する他のセクションと異なる色により色分けされている。なお、図１では、マネキン頭部１０の頭部表面に植栽された頭髪は省略している。
【００２１】
例えば、フェイスラインから、耳後ろとみつえりを繋ぐセクションを通過して、ネイプに至るまでの範囲を１つのセクションとしてセクションａとしているが、このセクションａは、青色に着色されている。
フロントセクションを示すセクションｂは、非着色のセクションであり、地肌色である。
右側のサイドセクションを示すセクションｃと、左側のサイドセクションを示すセクションｄは、赤色に着色されている。
トップセクションを示すセクションｅは、青色に着色されている。
右側のミドルセクションを示すセクションｆと、左側のミドルセクションを示すセクションｇは、緑色に着色されている。
右側のアンダーセクションを示すセクションｈと、左側のアンダーセクションを示すセクションｉは、赤色に着色されている。
セイムレイヤーセクションを示すセクションｊは、非着色のセクションであり、地肌色である。
【００２２】
これらのセクションａからセクションｊは、溝１１により区分けされている。この溝１１は、マネキン頭部１０が金型により成形されるときに、金型に形成された線状凸部に応じて形成される。
【００２３】
これらのセクションａ〜セクションｊのうち非着色のセクションｂ，ｊを除くものについては、例えば、図２に示すようなテンプレート１２を用いて着色することができる。
図２に示すテンプレート１２は、セクションｃとセクションｄを着色するためのものである。テンプレート１２は、可撓性を有するプレート１２ａに、セクションｃとセクションｄとに対応する開口部１２ｂが形成されている。
このテンプレート１２を、頭部の円弧形状に合わせて撓ませながら、該当セクション（セクションｃ，セクションｄ）に開口部１２ｂを合わせて配置する。次に、開口部１２ｂの範囲を着色して、隣接する他のセクションと異なる色により色分けする。
【００２４】
例えば、テンプレート１２のおもて面１２ｃを外側にして、セクションｃを囲う溝１１に合わせて、開口部１２ｂを当て、着色材により着色する。その後、テンプレート１２の裏面１２ｄを外側にして、セクションｄを囲う溝１１に合わせて、開口部１２ｂを当て、着色材により着色する。着色は、着色材を噴霧するスプレー式が素早く広い面積に塗布することができるので望ましい。
【００２５】
図２では、セクションｃおよびセクションｄに対応するテンプレート１２であったが、非着色のセクション以外の他のセクションも同様にテンプレートを用いて着色することができる。なお、セクションａについては、頭部全周に渡って帯状に形成されているため、複数のテンプレートにより分割して着色してもよい。
【００２６】
このように、頭部全体が地肌色のマネキン頭部に、各セクションの輪郭形状の開口部を有するテンプレートを用いて着色することで、正確に、素早く色分けすることができ、図１に示すマネキン頭部１０を製造することができる。
また、セクションの色分けとして、着色したセクションに囲まれたセクションｂや、セクションｊを非着色のセクションとすることで、非着色を含めると、赤色や、青色、緑色だけでなく、地肌色も加えることができるので、全部のセクションを３色の着色で完了できる。従って、マネキン頭部１０は、着色の手間が省略でき、製造時間の短縮、着色材の使用量の低減を図ることができる。
【００２７】
また、セクションａ〜セクションｊが、溝１１により区分けされていることで、マネキン頭部を成形するときに、区分けするための溝１１を同時に形成することができる。また、この溝１１を、頭髪を植栽するときの目印線とすることができる。
更に、着色するときの着色材が垂れたり滲んだりしても、溝１１でくい止めることができるので、隣接するセクションに着色材が浸入することを抑止することができる。従って、色混じりが抑止できることにより、各セクションの境界をはっきりとしたものとすることができるので、意匠性を向上させることができる。
【００２８】
次に、このマネキン頭部１０を用いて指導者が、学習者に指導する方法を、図面に基づいて説明する。本実施の形態では、ショートボブと称されるヘアスタイルを例に説明する。
まず、カットに始める前に、図３（ａ）に示すように、セクションの頭髪を束ねるブロッキングを行う。ヘアスタイルがショートボブなので、指導者は、青色のセクションａ以外のセクションｂ〜セクションｊを指定して、ダッカールクリップでブロッキングするよう指示する。
【００２９】
次に、図３（ｂ）に示すように、指導者は、青色で示されるセクションａのネイプを指定して、ガイドラインを自然に降ろした状態でカットを指示する。
次に、図３（ｃ）に示すように、指導者は、左右のアンダーセクションを示す赤色のセクションｈ，ｉと、セイムレイヤーセクションを示す地肌色のセクションｊの下側半分とを指定して、セクションａの輪郭線（ガイドライン）をベースにして、緩やかにリフトアップさせながらグラデーション状にカットするように指示する。
【００３０】
次に、図３（ｄ）に示すように、指導者は、セクションａの耳後ろとみつえりを繋ぐセクションと、左右のミドルセクションを示す緑色のセクションｆ，ｇと、左右のサイドセクションを示す赤色のセクションｃ，ｄであって、セクションｆ，ｇの高さ位置までのセクションｃ，ｄと指定して、水平なラインで緩やかなリフトアップさせながらグラデーション状にカットするように指示する。
【００３１】
次に、図３（ｅ）に示すように、指導者は、トップセクションを示す青色のセクションｅと、フロントセクションを示す地肌色のセクションｂと、左右のサイドセクションを示す赤色のセクションｃ，ｄであって、セクションｆ，ｇの高さより高い位置のセクションｃ，ｄを指定し、注意として、ここの箇所は骨格が急に入り込むのでリフトアップし過ぎないように気を付けてカットすることを指示する。
【００３２】
最後に、図３（ｆ）に示すように、指導者は、フロントセクションを示す地肌色のセクションｂを指定して、レイヤー状にリフトアップして、重さを滑らかにするよう指示する。
このようにして、指導者は、色分けしたセクションａからセクションｊを指定して、ヘアスタイルの指導を行うことができる。
【００３３】
以上のように、本実施の形態に係るマネキン頭部１０によれば、セクションａ〜セクションｉを隣接する他のセクションと異なる色により色分けしているため、頭髪をかき上げれば、頭部表面が見え、色分けされたセクションａ〜セクションｊが見えるため、指導者はセクションの指示がしやすく的確に伝えることができ、学習者は、指定されたセクションがどこのセクションか容易に認識することができる。また、マネキン頭部１０が色分けされているため、頭髪は全体一色のものが使用できるので、特別な頭髪を用意しなくてもよい。従って、マネキン頭部は、カット後のヘアスタイルを違和感なく観察することができる。
【００３４】
なお、本実施の形態では、セクションを、セクションａからセクションｊに色分けしているが、指導者によって、セクションの大きさ、幅を変更したり、セクションを、更に細分化したり、統合したりすることができる。このとき、マネキン頭部１０の成形時に形成された溝１１から外れて、セクションの輪郭を形成してもよい。
【００３５】
また、本実施の形態では、頭髪が頭部表面に植栽されたマネキン頭部１０を例に説明したが、ウイッグを頭部に被せるマネキン頭部でもよい。
【産業上の利用可能性】
【００３６】
本発明のマネキン頭部は、美容院または美容学校など、ヘアスタイルを学習する施設に好適である。
【符号の説明】
【００３７】
１０  マネキン頭部
１１  溝
１２  テンプレート
１２ａ  プレート
１２ｂ  開口部
１２ｃ  おもて面
１２ｄ  裏面
ａ〜ｊ  セクション
【図１】
2015087542.tif 000003
【図２】
2015087542.tif 000004
【図３】
2015087542.tif 000005